(57)【要約】【課題】ＩＰ電話通信を行う場合に、利便性を向上させた電話装置を提供する。【解決手段】入力部１８によって入力された電話番号が、一般電話番号である場合、ディジタル電話呼制御部１１は、呼設定メッセージを利用して、着信側電話装置からＩＰ電話番号を取得する。ＩＰ電話呼制御部１２は、ディジタル電話呼制御部１１が取得した着信側電話装置のＩＰ電話番号を用いて着信側電話装置とＩＰ電話通信を行う。【選択図】　　　図１
2004129157.tif 000002
【特許請求の範囲】
【請求項１】
ディジタル回線交換網に接続してディジタル電話通信を行うディジタル電話手段と、
インターネットプロトコル網に接続してインターネットプロトコル電話通信を行うインターネットプロトコル電話手段と、
着信側電話装置の電話番号を入力する入力手段と、
前記入力手段から入力された電話番号に基づいて、前記ディジタル電話手段または前記インターネットプロトコル電話手段を動作させて、着信側電話装置と電話通信を行う経路制御手段とを備え、
前記経路制御手段は、前記入力部によって入力された電話番号がディジタル電話通信用の電話番号であるとき、前記ディジタル電話手段が、通話状態に移行するまでの設定手順で、着信側電話装置からインターネットプロトコル電話通信用の電話番号を取得し、前記インターネットプロトコル電話手段が、前記ディジタル電話手段が取得した電話番号を用いて着信側電話装置とインターネットプロトコル電話通信を行うように前記ディジタル電話手段および前記インターネットプロトコル電話手段の動作を制御することを特徴とする電話装置。
【請求項２】
ディジタル回線交換網に接続してディジタル電話通信を行うディジタル電話手段と、
インターネットプロトコル網に接続してインターネットプロトコル電話通信を行うインターネットプロトコル電話手段と、
着信側電話装置の電話番号を入力する入力手段と、
１台の着信側電話装置が有するディジタル電話通信用の電話番号と、インターネットプロトコル電話通信用の電話番号とを対応付けて記憶する記憶手段と、
前記入力手段から入力された電話番号に基づいて、前記ディジタル電話手段または前記インターネットプロトコル電話手段を動作させて、着信側電話装置と電話通信を行う経路制御手段とを備え、
前記経路制御手段は、前記入力部によって入力された電話番号がディジタル電話通信用の電話番号であるとき、前記記憶手段を参照し、入力されたディジタル電話通信用の電話番号に対応付けられたインターネットプロトコル電話通信用の電話番号が記憶されているか否かを判断し、
記憶されていれば、記憶手段からインターネットプロトコル電話通信用の電話番号を取得し、取得した電話番号を用いて前記インターネットプロトコル電話手段が、着信側電話装置とインターネットプロトコル電話通信を行うように制御し、記憶されていなければ、前記ディジタル電話手段が、通話状態に移行するまでの設定手順で、着信側電話装置からインターネットプロトコル電話通信用の電話番号を取得し、前記インターネットプロトコル電話手段が、前記ディジタル電話手段が取得した電話番号を用いて着信側電話装置とインターネットプロトコル電話通信を行うように前記ディジタル電話手段および前記インターネットプロトコル電話手段の動作を制御することを特徴とする電話装置。
【請求項３】
前記経路制御手段は、ディジタル電話手段が、着信側電話装置からインターネットプロトコル電話通信用の電話番号を取得すると、ディジタル電話手段が取得したインターネットプロトコル電話通信用の電話番号を、入力されたディジタル電話通信用の電話番号に対応付けて前記記憶手段に記憶させることを特徴とする請求項２記載の電話装置。
【請求項４】
ディジタル回線交換網に接続してディジタル電話通信を行うディジタル電話手段と、
インターネットプロトコル網に接続してインターネットプロトコル電話通信を行うインターネットプロトコル電話手段と、
着信側電話装置の電話番号を入力する入力手段と、
１台の着信側電話装置が有するディジタル電話通信用の電話番号と、インターネットプロトコル電話通信用の電話番号とを対応付けて記憶する記憶手段と、
ディジタル電話通信用の電話番号およびインターネットプロトコル電話通信用の電話番号のいずれの電話番号を用いて電話通信を行うかをユーザが選択できる選択手段と、
前記入力手段から入力された電話番号に基づいて、前記ディジタル電話手段または前記インターネットプロトコル電話手段を動作させて、着信側電話装置と電話通信を行う経路制御手段とを備え、
前記経路制御手段は、前記入力部によって入力された電話番号がディジタル電話通信用の電話番号であるとき、前記記憶手段を参照し、入力されたディジタル電話通信用の電話番号に対応付けられたインターネットプロトコル電話通信用の電話番号が記憶されているか否かを判断し、
記憶されていれば、前記選択手段によっていずれの電話番号が選択されたかを判断し、ディジタル電話通信用の電話番号が選択された場合は、着信側電話装置とディジタル電話通信を行うように前記ディジタル電話手段を制御し、インターネットプロトコル電話通信用の電話番号が選択された場合は、着信側電話装置とインターネットプロトコル電話通信を行うように前記インターネットプロトコル電話手段を制御し、
記憶されていなければ、前記ディジタル電話手段が、通話状態に移行するまでの設定手順で、着信側電話装置からインターネットプロトコル電話通信用の電話番号を取得し、前記インターネットプロトコル電話手段が、前記ディジタル電話手段が取得した電話番号を用いて着信側電話装置とインターネットプロトコル電話通信を行うように前記ディジタル電話手段および前記インターネットプロトコル電話手段の動作を制御することを特徴とする電話装置。
【請求項５】
ディジタル回線交換網に接続してディジタル電話通信を行うディジタル電話手段と、
インターネットプロトコル網に接続してインターネットプロトコル電話通信を行うインターネットプロトコル電話手段と、
着信側電話装置の電話番号を入力する入力手段と、
１台の着信側電話装置が有するディジタル電話通信用の電話番号およびインターネットプロトコル電話通信用の電話番号と、いずれの電話番号を優先的に用いて電話通信を行うかを示す優先度とを対応付けて記憶する記憶手段と、
前記入力手段から入力された電話番号に基づいて、前記ディジタル電話手段または前記インターネットプロトコル電話手段を動作させて、着信側電話装置と電話通信を行う経路制御手段とを備え、
前記経路制御手段は、前記入力部によって入力された電話番号がディジタル電話通信用の電話番号であるとき、前記記憶手段を参照し、入力されたディジタル電話通信用の電話番号に対応付けられたインターネットプロトコル電話通信用の電話番号が記憶されているか否かを判断し、
記憶されていれば、前記記憶手段に記憶された優先度を参照し、ディジタル電話通信用の電話番号を優先的に用いる場合は、着信側電話装置とディジタル電話通信を行うように前記ディジタル電話手段を制御し、インターネットプロトコル電話通信用の電話番号を優先的に用いる場合は、着信側電話装置とインターネットプロトコル電話通信を行うように前記インターネットプロトコル電話手段を制御し、
記憶されていなければ、前記ディジタル電話手段が、通話状態に移行するまでの設定手順で、着信側電話装置からインターネットプロトコル電話通信用の電話番号を取得し、前記インターネットプロトコル電話手段が、前記ディジタル電話手段が取得した電話番号を用いて着信側電話装置とインターネットプロトコル電話通信を行うように前記ディジタル電話手段および前記インターネットプロトコル電話手段の動作を制御することを特徴とする電話装置。
【請求項６】
前記記憶手段に、入力されたディジタル電話通信用の電話番号と、該電話番号に対応付けられたインターネットプロトコル電話通信用の電話番号とが記憶されているときは、いずれの電話番号を用いて電話通信を行うかをユーザが選択できる選択手段を有し、ユーザが選択した電話番号を、優先的に用いる電話番号として優先度を設定することを特徴とする請求項５記載の電話装置。
【請求項７】
前記設定手順におけるインターネットプロトコル電話通信用の電話番号の取得は、呼設定メッセージのユーザ・ユーザ情報要素に、インターネットプロトコル電話通信用の電話番号の送信要求を設定することによって行うことを特徴とする請求項１〜６のいずれか１つに記載の電話装置。
【請求項８】
前記設定手順における呼設定メッセージに対する着信側電話装置の応答メッセージとして、切断メッセージの送信を要求し、この切断メッセージのユーザ・ユーザ情報要素に着信側電話装置のインターネットプロトコル電話通信用の電話番号を含むことを特徴とする請求項７記載の電話装置。
【請求項９】
前記設定手順におけるインターネットプロトコル電話通信用の電話番号の取得は、呼設定メッセージの着サブアドレス情報要素に、インターネットプロトコル電話通信用の電話番号の送信要求を設定することによって行うことを特徴とする請求項１〜６のいずれか１つに記載の電話装置。
【請求項１０】
前記呼設定メッセージの着サブアドレス情報要素に、自己のインターネットプロトコル電話通信用の電話番号を設定し、着信側電話装置に対してコールバックを要求することを特徴とする請求項９記載の電話装置。
【発明の詳細な説明】
【０００１】
【発明の属する技術分野】
本発明は、ディジタル回線交換網に接続してディジタル電話通信を行うディジタル電話手段と、インターネットプロトコル網に接続してインターネットプロトコル電話通信を行うインターネットプロトコル電話手段を備える電話装置に関する。
【０００２】
【従来の技術】
ＶｏＩＰ（Ｖｏｉｃｅ　ｏｖｅｒ　Ｉｎｔｅｒｎｅｔ　Ｐｒｏｔｏｃｏｌ）が標準化されたことにより、ＩＰ網を利用して通話を行うＩＰ電話通信の相互接続性が向上し、企業の内線通話に利用されたり、専用回線からの置き換えに利用され、最近では公衆向けのＩＰ電話通信サービスを提供する通信事業者も増加している。ＩＰ網を利用したＩＰ電話は、同時に複数のユーザが接続しても共通の配線や交換機などの設備を利用するため、公衆回線網を利用した一般の加入電話のようにユーザの数に応じた設備を必要とせず、すでにインターネットなどのデータ通信用に整備された設備を利用することができるため、低価格でサービスの提供が可能となっている。
【０００３】
しかしながら、ＩＰ網を介してＩＰ電話端末機間でパケットデータ化された音声信号を送受信する場合、十分な帯域が保証されないため、パケットデータの遅延による再生音声の途切れや再生時間にタイムラグが生じてしまう。このため、ＩＰ電話サービスは、音声品質を犠牲にしてコストを削減するためのものとなっている。したがって、ライフラインとしての一般加入電話の置き換えまでには至っておらず、双方の機能を有する通信端末機が開発されている。
【０００４】
たとえば、従来のデータ交換方式を用いたＩＰ電話装置では、発信側端末機がＩＳＤＮ（Ｉｎｔｅｇｒａｔｅｄ　Ｓｅｒｖｉｃｅｓ　Ｄｉｇｉｔａｌ　Ｎｅｔｗｏｒｋ）回線網を介して契約プロバイダのサーバに回線接続し動的ＩＰアドレスを取得する。発信側端末機は、ＩＳＤＮの制御用チャンネルであるＤチャンネルを用いてＵＵＩ（ユーザ・ユーザ情報通知）接続を使用し、取得したＩＰアドレスを受信側端末機に通知する。受信側端末機もＩＳＤＮ回線網を介して契約プロバイダに接続し、動的ＩＰアドレスを取得してインターネット経由で発信側端末機に通知する。これにより、双方のＩＰアドレスを用いてインターネット電話通信（ＩＰ電話通信）を実現する（特許文献１参照）。
【０００５】
また、従来のインターネット電話装置では、ＩＳＤＮ網に接続する発呼側ＩＳＤＮターミナルアダプタが、着呼側電話機がインターネット電話をできるか否かを判定し、できる場合にはＩＳＤＮ網を介して暗号化されたインターネット接続会員識別番号、いわゆるユーザＩＤと暗証番号とを着呼側ＩＳＤＮターミナルアダプタへ送信する。着呼側ＩＳＤＮターミナルアダプタは、着呼側電話機がオフフックされたときに、受信したインターネット接続会員識別番号と暗証番号とで着呼側アクセスポイントへ接続し、アクセスポイントで取得したＩＰアドレスをＩＳＤＮ網を介して発呼側ＩＳＤＮターミナルアダプタへ通知する。発呼側ＩＳＤＮターミナルアダプタは、アクセスポイントへの接続を行い、インターネット電話通信（ＩＰ電話通信）を行う。これにより、着呼側電話機では発呼側電話機から送信されたインターネット接続会員識別番号と暗証番号とを用いてインターネットに接続するので、インターネット接続料を着呼側電話機が負担する必要がなくなる（特許文献２参照）。
【０００６】
【特許文献１】
特開平１１−１７７７１９号公報
【特許文献２】
特開２００１−３６５２４号公報
【０００７】
【発明が解決しようとする課題】
特許文献１記載のデータ交換方式を用いたＩＰ電話装置では、ＩＰアドレスを受信側端末機に通知する際に、Ｄチャンネルが必要なので、同時に２チャンネル（ＢチャンネルおよびＤチャンネル）利用可能なＩＳＤＮを利用しなければ実現できない。また、受信側端末機がインターネット電話をできる相手先であるかどうかなどをユーザが事前に知っていないとできないなどの問題がある。
【０００８】
特許文献２記載のインターネット電話装置では、着呼側電話機がオフフックされたときに、受信したインターネット接続会員識別番号と暗証番号とで着呼側アクセスポイントへ接続する必要があるため、ユーザが応答してから実際に通話が開始されるまでのタイムラグが大きい。また、着呼側の料金負担を解消するために複雑なシーケンスを必要とするなどの問題がある。
【０００９】
本発明の目的は、ＩＰ電話通信を行う場合に、利便性を向上させた電話装置を提供することである。
【００１０】
【課題を解決するための手段】
本発明は、ディジタル回線交換網に接続してディジタル電話通信を行うディジタル電話手段と、
インターネットプロトコル網に接続してインターネットプロトコル電話通信を行うインターネットプロトコル電話手段と、
着信側電話装置の電話番号を入力する入力手段と、
前記入力手段から入力された電話番号に基づいて、前記ディジタル電話手段または前記インターネットプロトコル電話手段を動作させて、着信側電話装置と電話通信を行う経路制御手段とを備え、
前記経路制御手段は、前記入力部によって入力された電話番号がディジタル電話通信用の電話番号であるとき、前記ディジタル電話手段が、通話状態に移行するまでの設定手順で、着信側電話装置からインターネットプロトコル電話通信用の電話番号を取得し、前記インターネットプロトコル電話手段が、前記ディジタル電話手段が取得した電話番号を用いて着信側電話装置とインターネットプロトコル電話通信を行うように前記ディジタル電話手段および前記インターネットプロトコル電話手段の動作を制御することを特徴とする電話装置である。
【００１１】
本発明に従えば、経路制御手段は、入力手段から入力された電話番号に基づいて、ディジタル電話手段またはインターネットプロトコル電話手段を動作させて、着信側電話装置と電話通信を行う。
【００１２】
前記入力部によって入力された電話番号がディジタル電話通信用の電話番号である場合、ディジタル電話手段は、通話状態に移行するまでの設定手順を利用して、着信側電話装置からインターネットプロトコル電話通信用の電話番号を取得する。インターネットプロトコル電話手段は、ディジタル電話手段が取得した着信側電話装置のインターネットプロトコル電話通信用の電話番号を用いて着信側電話装置とインターネットプロトコル電話通信を行う。
【００１３】
このように、通話状態に移行するまでの設定手順を利用して、着信側電話装置のインターネットプロトコル電話通信用の電話番号を取得するので、従来は通話状態で取得するために必要であった、インターネットプロトコル電話通信用の電話番号の取得に伴うディジタル電話通信の通話料金が発生しない。したがって、インターネットプロトコル電話通信にかかる費用を削減することができる。また、通話状態に移行するまでの設定状態を利用して電話番号を取得する場合、通話状態で電話番号を取得する場合に比べて、短時間でインターネットプロトコル電話通信用の電話番号を取得することができる。したがって、インターネットプロトコル電話通信による通話が開始されるまでのタイムラグを短縮することができる。
【００１４】
また本発明は、ディジタル回線交換網に接続してディジタル電話通信を行うディジタル電話手段と、
インターネットプロトコル網に接続してインターネットプロトコル電話通信を行うインターネットプロトコル電話手段と、
着信側電話装置の電話番号を入力する入力手段と、
１台の着信側電話装置が有するディジタル電話通信用の電話番号と、インターネットプロトコル電話通信用の電話番号とを対応付けて記憶する記憶手段と、
前記入力手段から入力された電話番号に基づいて、前記ディジタル電話手段または前記インターネットプロトコル電話手段を動作させて、着信側電話装置と電話通信を行う経路制御手段とを備え、
前記経路制御手段は、前記入力部によって入力された電話番号がディジタル電話通信用の電話番号であるとき、前記記憶手段を参照し、入力されたディジタル電話通信用の電話番号に対応付けられたインターネットプロトコル電話通信用の電話番号が記憶されているか否かを判断し、
記憶されていれば、記憶手段からインターネットプロトコル電話通信用の電話番号を取得し、取得した電話番号を用いて前記インターネットプロトコル電話手段が、着信側電話装置とインターネットプロトコル電話通信を行うように制御し、記憶されていなければ、前記ディジタル電話手段が、通話状態に移行するまでの設定手順で、着信側電話装置からインターネットプロトコル電話通信用の電話番号を取得し、前記インターネットプロトコル電話手段が、前記ディジタル電話手段が取得した電話番号を用いて着信側電話装置とインターネットプロトコル電話通信を行うように前記ディジタル電話手段および前記インターネットプロトコル電話手段の動作を制御することを特徴とする電話装置である。
【００１５】
本発明に従えば、経路制御手段は、入力手段から入力された電話番号に基づいて、ディジタル電話手段またはインターネットプロトコル電話手段を動作させて、着信側電話装置と電話通信を行う。
【００１６】
前記入力部によって入力された電話番号がディジタル電話通信用の電話番号である場合、経路制御部は、記憶手段を参照し、入力されたディジタル電話通信用の電話番号に対応付けられたインターネットプロトコル電話通信用の電話番号が記憶されているか否かを判断する。
【００１７】
記憶されている場合は、入力されたディジタル電話通信用の電話番号に対応付けられたインターネットプロトコル電話通信用の電話番号を取得する。インターネットプロトコル電話手段は、経路制御手段が取得した電話番号を用いて着信側電話装置とインターネットプロトコル電話通信を行う。
【００１８】
記憶されていない場合は、ディジタル電話手段は、通話状態に移行するまでの設定手順を利用して、着信側電話装置からインターネットプロトコル電話通信用の電話番号を取得する。インターネットプロトコル電話手段は、ディジタル電話手段が取得した着信側電話装置のインターネットプロトコル電話通信用の電話番号を用いて着信側電話装置とインターネットプロトコル電話通信を行う。
【００１９】
これにより、ディジタル電話通信用の電話番号に対応するインターネットプロトコル電話通信用の電話番号が記憶手段に記憶されていれば、着信側電話装置のインターネットプロトコル電話通信用の電話番号を取得することなく、着信側電話装置とインターネットプロトコル電話通信を行うことができるので、インターネットプロトコル電話通信を開始するまでのタイムラグを短縮することができる。また記憶されていなければ、通話状態に移行するまでの設定手順を利用して、着信側電話装置のインターネットプロトコル電話通信用の電話番号を取得するので、従来は通話状態で取得するために必要であった、インターネットプロトコル電話通信用の電話番号の取得に伴うディジタル電話通信の通話料金が発生しない。したがって、インターネットプロトコル電話通信にかかる費用を削減することができる。また、通話状態に移行するまでの設定状態を利用して電話番号を取得する場合、通話状態で電話番号を取得する場合に比べて、短時間でインターネットプロトコル電話通信用の電話番号を取得することができる。したがって、インターネットプロトコル電話通信による通話が開始されるまでのタイムラグを短縮することができる。
【００２０】
また本発明は、前記経路制御手段は、ディジタル電話手段が、着信側電話装置からインターネットプロトコル電話通信用の電話番号を取得すると、ディジタル電話手段が取得したインターネットプロトコル電話通信用の電話番号を、入力されたディジタル電話通信用の電話番号に対応付けて前記記憶手段に記憶させることを特徴とする。
【００２１】
本発明に従えば、ディジタル電話手段が、通話状態に移行するまでの設定手順で、着信側電話装置からインターネットプロトコル電話通信用の電話番号を取得する。経路制御手段は、ディジタル電話手段が取得したインターネットプロトコル電話通信用の電話番号を、入力されたディジタル電話通信用の電話番号に対応付けて記憶手段に記憶させる。
【００２２】
これにより、ディジタル電話通信用の電話番号に対応するインターネットプロトコル電話通信用の電話番号が自動で記憶されるので、次にインターネットプロトコル電話通信を行う際には、電話通信を開始するまでのタイムラグをさらに短縮することができる。
【００２３】
また本発明は、ディジタル回線交換網に接続してディジタル電話通信を行うディジタル電話手段と、
インターネットプロトコル網に接続してインターネットプロトコル電話通信を行うインターネットプロトコル電話手段と、
着信側電話装置の電話番号を入力する入力手段と、
１台の着信側電話装置が有するディジタル電話通信用の電話番号と、インターネットプロトコル電話通信用の電話番号とを対応付けて記憶する記憶手段と、
ディジタル電話通信用の電話番号およびインターネットプロトコル電話通信用の電話番号のいずれの電話番号を用いて電話通信を行うかをユーザが選択できる選択手段と、
前記入力手段から入力された電話番号に基づいて、前記ディジタル電話手段または前記インターネットプロトコル電話手段を動作させて、着信側電話装置と電話通信を行う経路制御手段とを備え、
前記経路制御手段は、前記入力部によって入力された電話番号がディジタル電話通信用の電話番号であるとき、前記記憶手段を参照し、入力されたディジタル電話通信用の電話番号に対応付けられたインターネットプロトコル電話通信用の電話番号が記憶されているか否かを判断し、
記憶されていれば、前記選択手段によっていずれの電話番号が選択されたかを判断し、ディジタル電話通信用の電話番号が選択された場合は、着信側電話装置とディジタル電話通信を行うように前記ディジタル電話手段を制御し、インターネットプロトコル電話通信用の電話番号が選択された場合は、着信側電話装置とインターネットプロトコル電話通信を行うように前記インターネットプロトコル電話手段を制御し、
記憶されていなければ、前記ディジタル電話手段が、通話状態に移行するまでの設定手順で、着信側電話装置からインターネットプロトコル電話通信用の電話番号を取得し、前記インターネットプロトコル電話手段が、前記ディジタル電話手段が取得した電話番号を用いて着信側電話装置とインターネットプロトコル電話通信を行うように前記ディジタル電話手段および前記インターネットプロトコル電話手段の動作を制御することを特徴とする電話装置である。
【００２４】
本発明に従えば、経路制御手段は、入力手段から入力された電話番号に基づいて、ディジタル電話手段またはインターネットプロトコル電話手段を動作させて、着信側電話装置と電話通信を行う。
【００２５】
前記入力部によって入力された電話番号がディジタル電話通信用の電話番号である場合、経路制御部は、記憶手段を参照し、入力されたディジタル電話通信用の電話番号に対応付けられたインターネットプロトコル電話通信用の電話番号が記憶されているか否かを判断する。
【００２６】
記憶されている場合は、選択手段によっていずれの電話番号が選択されたかを判断し、ディジタル電話通信用の電話番号が選択された場合は、着信側電話装置とディジタル電話通信を行うように前記ディジタル電話手段を制御し、インターネットプロトコル電話通信用の電話番号が選択された場合は、着信側電話装置とインターネットプロトコル電話通信を行うように前記インターネットプロトコル電話手段を制御し、
記憶されていない場合は、ディジタル電話手段は、通話状態に移行するまでの設定手順を利用して、着信側電話装置からインターネットプロトコル電話通信用の電話番号を取得する。インターネットプロトコル電話手段は、ディジタル電話手段が取得した着信側電話装置のインターネットプロトコル電話通信用の電話番号を用いて着信側電話装置とインターネットプロトコル電話通信を行う。
【００２７】
インターネットプロトコル電話通信は、ディジタル電話通信に比べて、コスト性に優れ、通話品質および秘話性に劣る。ディジタル電話通信用の電話番号に対応するインターネットプロトコル電話通信用の電話番号が記憶手段に記憶されていれば、ユーザは、いずれの電話番号を用いて電話通信を行うかを選択できるので、通話相手や通話内容に応じて電話通信を使い分けることができる。
【００２８】
また記憶されていなければ、通話状態に移行するまでの設定手順を利用して、着信側電話装置のインターネットプロトコル電話通信用の電話番号を取得するので、従来は通話状態で取得するために必要であった、インターネットプロトコル電話通信用の電話番号の取得に伴うディジタル電話通信の通話料金が発生しない。したがって、インターネットプロトコル電話通信にかかる費用を削減することができる。また、通話状態に移行するまでの設定状態を利用して電話番号を取得する場合、通話状態で電話番号を取得する場合に比べて、短時間でインターネットプロトコル電話通信用の電話番号を取得することができる。したがって、インターネットプロトコル電話通信による通話が開始されるまでのタイムラグを短縮することができる。
【００２９】
また本発明は、ディジタル回線交換網に接続してディジタル電話通信を行うディジタル電話手段と、
インターネットプロトコル網に接続してインターネットプロトコル電話通信を行うインターネットプロトコル電話手段と、
着信側電話装置の電話番号を入力する入力手段と、
１台の着信側電話装置が有するディジタル電話通信用の電話番号およびインターネットプロトコル電話通信用の電話番号と、いずれの電話番号を優先的に用いて電話通信を行うかを示す優先度とを対応付けて記憶する記憶手段と、
前記入力手段から入力された電話番号に基づいて、前記ディジタル電話手段または前記インターネットプロトコル電話手段を動作させて、着信側電話装置と電話通信を行う経路制御手段とを備え、
前記経路制御手段は、前記入力部によって入力された電話番号がディジタル電話通信用の電話番号であるとき、前記記憶手段を参照し、入力されたディジタル電話通信用の電話番号に対応付けられたインターネットプロトコル電話通信用の電話番号が記憶されているか否かを判断し、
記憶されていれば、前記記憶手段に記憶された優先度を参照し、ディジタル電話通信用の電話番号を優先的に用いる場合は、着信側電話装置とディジタル電話通信を行うように前記ディジタル電話手段を制御し、インターネットプロトコル電話通信用の電話番号を優先的に用いる場合は、着信側電話装置とインターネットプロトコル電話通信を行うように前記インターネットプロトコル電話手段を制御し、
記憶されていなければ、前記ディジタル電話手段が、通話状態に移行するまでの設定手順で、着信側電話装置からインターネットプロトコル電話通信用の電話番号を取得し、前記インターネットプロトコル電話手段が、前記ディジタル電話手段が取得した電話番号を用いて着信側電話装置とインターネットプロトコル電話通信を行うように前記ディジタル電話手段および前記インターネットプロトコル電話手段の動作を制御することを特徴とする電話装置。
【００３０】
本発明に従えば、経路制御手段は、入力手段から入力された電話番号に基づいて、ディジタル電話手段またはインターネットプロトコル電話手段を動作させて、着信側電話装置と電話通信を行う。
【００３１】
前記入力部によって入力された電話番号がディジタル電話通信用の電話番号である場合、経路制御部は、記憶手段を参照し、入力されたディジタル電話通信用の電話番号に対応付けられたインターネットプロトコル電話通信用の電話番号が記憶されているか否かを判断する。
【００３２】
記憶されている場合は、記憶手段に記憶された優先度を参照する。ディジタル電話通信用の電話番号を優先的に用いるように設定されている場合は、ディジタル電話手段が、着信側電話装置とディジタル電話通信を行い、インターネットプロトコル電話通信用の電話番号を優先的に用いるように設定されている場合は、インターネットプロトコル電話手段が、着信側電話装置とインターネットプロトコル電話通信を行う。
【００３３】
記憶されていない場合は、ディジタル電話手段は、通話状態に移行するまでの設定手順を利用して、着信側電話装置からインターネットプロトコル電話通信用の電話番号を取得する。インターネットプロトコル電話手段は、ディジタル電話手段が取得した着信側電話装置のインターネットプロトコル電話通信用の電話番号を用いて着信側電話装置とインターネットプロトコル電話通信を行う。
【００３４】
これにより、ディジタル電話通信用の電話番号に対応するインターネットプロトコル電話通信用の電話番号が記憶手段に記憶されていれば、予め優先度を設定しておくことで、容易に電話通信を使い分けることができる。また記憶されていなければ、通話状態に移行するまでの設定手順を利用して、着信側電話装置のインターネットプロトコル電話通信用の電話番号を取得するので、従来は通話状態で取得するために必要であった、インターネットプロトコル電話通信用の電話番号の取得に伴うディジタル電話通信の通話料金が発生しない。したがって、インターネットプロトコル電話通信にかかる費用を削減することができる。また、通話状態に移行するまでの設定状態を利用して電話番号を取得する場合、通話状態で電話番号を取得する場合に比べて、短時間でインターネットプロトコル電話通信用の電話番号を取得することができる。したがって、インターネットプロトコル電話通信による通話が開始されるまでのタイムラグを短縮することができる。
【００３５】
また本発明は、前記記憶手段に、入力されたディジタル電話通信用の電話番号と、該電話番号に対応付けられたインターネットプロトコル電話通信用の電話番号とが記憶されているときは、いずれの電話番号を用いて電話通信を行うかをユーザが選択できる選択手段を有し、ユーザが選択した電話番号を、優先的に用いる電話番号として優先度を設定することを特徴とする。
【００３６】
本発明に従えば、記憶手段に、入力されたディジタル電話通信用の電話番号と、該電話番号に対応付けられたインターネットプロトコル電話通信用の電話番号とが記憶されているときは、ユーザが選択手段によって、いずれの電話番号を用いて電話通信を行うかを選択できる。
【００３７】
ユーザによって電話番号が設定された場合、ユーザが選択した電話番号を優先的に用いる電話番号として優先度を設定する。
【００３８】
これにより、ユーザは、いずれの電話番号を用いて電話通信を行うかを選択できるので、通話相手や通話内容に応じて電話通信を使い分けることができる。さらに、次に電話通信を行うときには、以前の選択結果が反映されるので、ユーザは、電話通信を行うごとに選択しなくてもよい。
【００３９】
また本発明は、前記設定手順におけるインターネットプロトコル電話通信用の電話番号の取得は、呼設定メッセージのユーザ・ユーザ情報要素に、インターネットプロトコル電話通信用の電話番号の送信要求を設定することによって行うことを特徴とする。
【００４０】
本発明に従えば、通話状態に移行するまでの設定手順の中で、呼設定メッセージのユーザ・ユーザ情報要素に、インターネットプロトコル電話通信用の電話番号の送信要求を設定する。着信側電話装置は、受信したユーザ・ユーザ情報要素を解釈して、自己のインターネットプロトコル電話通信用の電話番号を送信する。
【００４１】
これにより、呼設定メッセージのユーザ・ユーザ情報要素を用いるので、電話番号を取得するための手順を増やすことなく、既存の設定手順中でインターネットプロトコル電話通信用の電話番号を取得することができる。
【００４２】
また本発明は、前記設定手順における呼設定メッセージに対する着信側電話装置の応答メッセージとして、切断メッセージの送信を要求し、この切断メッセージのユーザ・ユーザ情報要素に着信側電話装置のインターネットプロトコル電話通信用の電話番号を含むことを特徴とする。
【００４３】
本発明に従えば、呼設定メッセージに対する着信側電話装置の応答メッセージとして、切断メッセージを要求する。この切断メッセージのユーザ・ユーザ情報要素には、着信側電話装置のインターネットプロトコル電話通信用の電話番号を含む。
【００４４】
切断メッセージを受信した発信側電話装置は、着信側電話装置のインターネットプロトコル電話通信用の電話番号を取得し、使用していた回線を開放する。
【００４５】
これにより、着信側電話装置のインターネットプロトコル電話通信用の電話番号を取得し、速やかに回線を開放することができるので、より少ない手順で短時間に電話番号の取得を行うことができる。
【００４６】
また本発明は、前記設定手順におけるインターネットプロトコル電話通信用の電話番号の取得は、呼設定メッセージの着サブアドレス情報要素に、インターネットプロトコル電話通信用の電話番号の送信要求を設定することによって行うことを特徴とする。
【００４７】
本発明に従えば、通話状態に移行するまでの設定手順の中で、呼設定メッセージの着サブアドレス情報要素に、インターネットプロトコル電話通信用の電話番号の送信要求を設定する。着信側電話装置は、受信した着サブアドレス情報要素を解釈して、自己のインターネットプロトコル電話通信用の電話番号を送信する。
【００４８】
これにより、呼設定メッセージの着サブアドレス情報要素を用いるので、電話番号を取得するための手順を増やすことなく、既存の設定手順中でインターネットプロトコル電話通信用の電話番号を取得することができる。
【００４９】
また本発明は、前記呼設定メッセージの着サブアドレス情報要素に、自己のインターネットプロトコル電話通信用の電話番号を設定し、着信側電話装置に対してコールバックを要求することを特徴とする。
【００５０】
本発明に従えば、呼設定メッセージの着サブアドレス情報要素に、自己のインターネットプロトコル電話通信用の電話番号を設定し、着信側電話装置に対してコールバックを要求する。着信側電話装置は、受信した着サブアドレス情報要素を解釈して、発信側電話装置に対してコールバックを行う。
【００５１】
これにより、発信側電話装置が着信側電話装置に発信することなく、着信側電話装置からコールバックされるので、インターネットプロトコル電話通信を開始するまでのタイムラグをさらに短縮することができる。
【００５２】
【発明の実施の形態】
最近では、ＩＰ網への接続は常時接続が主流となっており、ＩＰ電話装置に対して電話番号が割り振られることとなっている。本発明は、これらのことを考慮し、相手側電話装置のＩＰ電話番号を効率よく取得して、ＩＰ電話通信を行う電話装置である。
【００５３】
本発明の実施形態について、図面を参照して以下に説明する。
図１は、本発明の実施の一形態であるＩＰ（Ｉｎｔｅｒｎｅｔ　Ｐｒｏｔｏｃｏｌ）電話装置１の構成を示すブロック図である。ＩＰ電話装置１は、ディジタル回線交換網に接続するディジタル電話装置の機能と、ＩＰ網に接続するＩＰ電話装置の機能とを備え、相手側電話装置（着信側電話装置）がＩＰ電話装置の機能を有するか否かを判断し、ＩＰ電話装置の機能を有していれば、ＩＰ電話番号を取得してＩＰ網経由で相手側電話装置と通信を行う。
【００５４】
ＩＰ電話装置１は、ディジタル電話呼制御部１１、ＩＰ電話呼制御部１２、表示制御部１３、コマンド処理部１４、電話帳処理部１５、経路制御部１６、表示部１７、入力部１８、電話帳記憶部１９および送受話器２０を有する。
【００５５】
ディジタル電話呼制御部１１は、経路制御部１６の指示に従い、ディジタル回線交換網に接続する際に、ディジタル回線交換網に対する呼制御を行うディジタル電話手段である。ＩＰ電話呼制御部１２は、経路制御部１６の指示に従い、ＩＰ網に接続する際に、ＩＰ網に対する呼制御を行うインターネットプロトコル電話手段である。
【００５６】
表示制御部１３は、経路制御部１６からの指示に従い、装置の動作状況や、操作ガイドなどをユーザに通知する際に、文字および画像などを表示部１７に表示させる。表示部１７は、表示制御部１３に制御され、与えられた文字および画像などを表示する。
【００５７】
コマンド処理部１４は、ユーザがダイヤルキーなどからなる入力部１８を操作することによって入力されたキー情報を解釈し、電話番号もしくはコマンドなどに変換して経路制御部１６に通知する。コマンド処理部１４および入力部１８は、入力手段を構成する。電話帳処理部１５は、経路制御部１６の指示に従い、電話帳記憶部１９に記憶されている電話帳情報の読出しおよび更新などを行う。電話帳処理部１５および電話帳記憶部１９は、記憶手段を構成する。ここで、電話帳情報は、相手先の氏名もしくは名称と、相手側電話装置の一般公衆回線網接続用電話番号（一般電話番号）とを有し、これらの対応付けを示す。一般公衆回線網接続用電話番号とは、一般公衆回線網（ＰＳＴＮ）、ＩＳＤＮ回線網などに接続して電話通信を行う一般加入電話装置およびディジタル電話装置に付与される識別番号である。電話帳情報の内容を表示部１７に表示し、表示された氏名もしくは名称、電話番号を入力部１８から選択するように構成しておけば、電話発信の際に、ユーザは相手側電話装置の電話番号を入力せずに、電話帳情報に予め設定されている電話番号の中から選択するだけで発信することができる。
【００５８】
経路制御部１６は、経路制御を含めＩＰ電話装置１の電話通信全般に関する制御を行う経路制御手段である。さらに、経路制御部１６は、発信先に指定された電話番号に基づいて相手側電話装置がＩＰ電話番号を有するか否かの判断、およびＩＰ電話番号を有する場合にはＩＰ電話番号の取得を行い、相手側電話装置への発信をディジタル交換網経由で行うか、またはＩＰ網経由で行うかを判断する。経路制御部１６、コマンド処理部１４および入力部１８は選択手段を構成する。
【００５９】
送受話器２０は、スピーカおよびマイクを内蔵し、ディジタル電話呼制御部１１もしくはＩＰ電話呼制御部１２が、ディジタル回線交換網もしくはＩＰ網を介して受信した音声信号をスピーカから音声として出力し、ユーザが発した音声をマイクで音声信号に変換して、ディジタル電話呼制御部１１もしくはＩＰ電話呼制御部１２が、ディジタル回線交換網もしくはＩＰ網を介して送信することで、相手側電話装置のユーザと通話することができる。
【００６０】
次に、ＩＰ電話装置１の番号取得電話発信処理について説明する。図２は、番号取得電話発信処理のシーケンス図である。
【００６１】
ユーザが送受話器２０を操作するなどしてオフフックし、入力部１８を操作して相手側電話装置の一般電話番号を入力すると、コマンド処理部１４が入力された一般電話番号を経路制御部１６に通知する。
【００６２】
経路制御部１６は、ディジタル電話呼制御部１１に対して、呼設定とともに相手側電話装置のＩＰ電話番号を取得するよう指示する。指示を受けたディジタル電話呼制御部１１は、相手側電話装置の一般電話番号に基づいて、ディジタル回線交換網に接続し、ＩＰ電話番号要求を含む呼設定メッセージを相手側電話装置に送信する（ステップＡ１）。ディジタル回線交換網は、ＩＰ電話装置１に呼設定受付メッセージを送信する。
【００６３】
ここでメッセージとは、電話装置の呼制御部が呼制御を行うための各種情報で、発信側電話装置の電話番号などが含まれる。電話装置どうしでは、このメッセージのやりとりによって、発信、着信および切断などの呼制御を行う。
【００６４】
図３は、メッセージ１００の構成を示す図である。図３（ａ）は、メッセージ１００全体の構成を示す図である。メッセージ１００は、一般的にプロトコル識別子１０１、呼番号１０２、メッセージ種別１０３からなる共通部１１０と、１または複数の情報要素からなる情報要素フィールド（個別部）１１１とを有する。
【００６５】
プロトコル識別子１０１は、送信される情報がどのような種類のものかを識別するために用いる。呼番号１０２は、送信されるメッセージが、どの電話装置から送られたものか区別するために用いる端末管理番号と、端末管理番号のデータ長を示す呼番号長からなる。メッセージ種別１０３は、送信されるメッセージの種類を示す。たとえば、メッセージが相手を呼び出すための発呼メッセージなのか、相手からの応答メッセージなのか、通信を切断するためのメッセージなのかを通知する。また、これらの情報は、それぞれ８ビット（１オクテット）長の論理値によって表される。情報要素フィールド１１１は、具体的な制御内容を表す。
【００６６】
ディジタル電話呼制御部１１が送信するＩＰ電話番号要求を含む呼設定メッセージの構成について説明する。まず、共通部１１０については、プロトコル識別子１０１として、ディジタル回線交換網に対する呼制御メッセージであることを示す「００００１０００」（ＴＴＣ標準ＪＴ−Ｑ９３１　ユーザ・網呼制御メッセージ）、呼番号１０２として自己の端末管理番号、メッセージ種別１０３として、呼設定を示す「０００００１０１」を記述する。
【００６７】
このように共通部１１０で呼設定であることを示し、情報要素フィールド１１１で具体的な情報要素を示す。図３（ｂ）は、情報要素フィールド１１１の構成を示す図である。情報要素フィールド１１１は、情報要素識別子１２１と、情報要素内容長１２２と、情報要素内容１２３とを有する。
【００６８】
情報要素識別子１２１は、情報要素の種類を識別するために用いる。情報要素内容長１２２は、情報要素内容が可変長のデータであるため、送信する情報要素内容のデータ長を示すために用いる。情報要素内容１２３は、具体的に送信する情報内容である。
【００６９】
本実施形態では、相手側電話装置のＩＰ電話番号を要求する際に、ユーザ・ユーザ情報要素を用いる。ユーザ・ユーザ情報要素とは、ディジタル電話呼制御において、ユーザ間（電話装置間）の情報伝達に用いる情報要素である。
【００７０】
情報要素フィールド１１１には、情報要素識別子１２１として、ユーザ・ユーザ情報要素であることを示す「０１１１１１１０」、情報要素内容長１２２として、情報要素内容のデータ長、情報要素内容１２３として、相手側（メッセージ受信側）電話装置のＩＰ電話番号の送信要求を記述する。
【００７１】
このような呼設定メッセージを、ディジタル回線交換網を介して、相手側電話装置に送信する。
【００７２】
再び図２を参照して、相手側電話装置は、前述のＩＰ電話番号要求を含む呼設定メッセージを受信すると、自己のＩＰ電話番号を含む切断メッセージを送信する（ステップＡ２）。
【００７３】
切断メッセージの構成は、前述の呼設定メッセージと同様であり、共通部１１０のメッセージ種別１０３と情報要素フィールド１１１の情報要素内容１２３との記述が異なるだけである。切断メッセージについては、メッセージ種別１０３および情報要素内容１２３について説明し、他の情報については説明を省略する。メッセージ種別１０３としては、切断を示す「０１０００１０１」を記述し、情報要素内容１２３としては、相手側電話装置自身のＩＰ電話番号を記述する。
【００７４】
ディジタル電話呼制御部１１は、ＩＰ電話番号を含む切断メッセージを受信して、経路制御部１６に通知する。
【００７５】
通知を受けた経路制御部１６は、ディジタル電話呼制御部１１に回線を解放するよう指示する。指示を受けたディジタル電話呼制御部１１は解放メッセージを送信し、回線を解放する（ステップＡ３）。
【００７６】
経路制御部１６は、ＩＰ電話呼制御部１２に対して、ＩＰ網での呼設定開始を指示する。指示を受けたＩＰ電話呼制御部１２は、相手側電話装置から受信したＩＰ電話番号に基づいて、ＩＰ網に接続し、呼設定を行う。呼設定後は、従来のＩＰ電話通信のシーケンスを経て相手側電話装置と通話を行う。
【００７７】
従来のシーケンスでは、発信側電話装置から呼出を示すＩＮＶＩＴＥ＋ＳＤＰ信号が送信され、相手側電話装置は、応答を示す２００＋ＳＤＰ信号を送信する。発信側電話装置が、確認応答を示すＡＣＫ信号を送信すると、発信側電話装置と相手側電話装置の間で、データ通信を行うＲＴＰ／ＲＴＣ信号の送受信を行うことで通話を行う。
【００７８】
このように、呼設定メッセージのユーザ・ユーザ情報要素を用いて、相手側電話装置のＩＰ電話番号を要求し、切断メッセージのユーザ・ユーザ情報要素を用いて、相手側電話装置のＩＰ電話番号を取得することにより、通話状態に移行することなく相手側電話装置のＩＰ電話番号を取得できるので、ディジタル交換回線の回線使用に伴う料金を発生させずに、ディジタル回線交換網を経由する通信経路からＩＰ網を経由する通信経路へ経路変換が可能となる。また、呼設定メッセージの送信と切断メッセージの受信による単純なシーケンスで、経路変換が可能であるので、短時間で経路変換を行うことができ、ユーザがオフフックしてから通話が可能となるまでのタイムラグを従来に比べて短縮することができる。
【００７９】
また、ユーザが相手側電話装置の電話番号として一般電話番号を入力しても、ＩＰ電話番号を取得してＩＰ網への接続に変換されるので、ユーザは相手側電話装置のＩＰ電話番号を調べる必要がなく、利便性が向上する。
【００８０】
さらに、電話帳記憶部１９に記憶されている電話帳情報に、相手側電話装置のＩＰ電話番号を登録するようにしてもよい。図４は、電話帳情報の登録内容の一例を示す図である。図に示すように、電話帳情報は、相手先の氏名もしくは名称と、相手側電話装置の一般電話番号と、相手側電話装置のＩＰ網接続用電話番号（ＩＰ電話番号）と、優先度とを有し、これらの対応付けを示す。ＩＰ網接続用電話番号とは、ＩＰ網に接続して電話通信を行うＩＰ電話装置に付与される識別番号である。優先度については後述する。
【００８１】
電話帳情報に相手側電話装置のＩＰ電話番号を登録する方法には２種類ある。
ユーザが入力部１８を操作してＩＰ電話番号を入力する方法と、切断メッセージに記述されたＩＰ電話番号を登録する方法とがある。
【００８２】
ユーザが入力部１８を操作して入力する場合、予め相手側電話装置のユーザから聞くなどしてＩＰ電話番号を調べておく。ＩＰ電話装置１の電話帳登録機能を用いて、調べたＩＰ電話番号を登録する。電話帳登録機能とは、ユーザが入力部１８を操作して氏名や電話番号を入力すると、電話帳処理部１５が、入力された情報に基づいて電話帳記憶部１９に記憶されている電話帳情報を更新する機能である。ＩＰ電話番号を登録する際は、予め登録されている一般電話番号に対応付けて登録してもよいし、氏名などを含めて一般電話番号とともに登録してもよい。たとえば、図に示すように、予め氏名として「Ａ氏」、一般電話番号として「０３−ＸＸＸ−１１１１」が登録されている場合に、これらに対応付けてＩＰ電話番号として「ＹＹＹ−ＺＺＺ−２２２−３３３」を登録してもよいし、氏名として「Ｃ氏」、一般電話番号として「０９０−ＸＸＸ−１１１１」、ＩＰ電話番号として「ＹＹＹ−ＺＺＺ−６６６−７７７」をともに登録してもよい。また、特に一般電話番号と対応付けずにＩＰ電話番号のみを電話帳情報に登録してもよい。
【００８３】
切断メッセージに記述されたＩＰ電話番号を登録する場合、切断メッセージの受信時に、経路制御部１６が受信したメッセージに記述された相手側電話装置のＩＰ電話番号を電話帳処理部１５に通知し、電話帳処理部１５が電話帳記憶部１９に記憶されている電話帳情報にＩＰ電話番号を登録して更新する方法である。
【００８４】
相手側電話装置のＩＰ電話番号が、予め電話帳記憶部１９に記憶されている電話帳情報に登録されている場合の登録番号電話発信処理について説明する。
【００８５】
ユーザが送受話器２０を操作するなどしてオフフックし、入力部１８を操作して相手側電話装置の一般電話番号を入力すると、コマンド処理部１４が入力された一般電話番号を経路制御部１６に通知する。
【００８６】
経路制御部１６は、電話帳処理部１５に対して一般電話番号を通知し、通知した一般電話番号に対応付けられたＩＰ電話番号の照合を指示する。指示を受けた電話帳処理部１５は、電話帳記憶部１９に記憶されている電話帳情報を参照し、通知された一般電話番号に対応付けられたＩＰ電話番号が登録されているか否かを判断する。登録されていなければ、前述の発信処理と同様に、相手側電話装置に対してＩＰ電話番号の送信を要求する。登録されていれば、登録されているＩＰ電話番号を経路制御部１６に通知する。
【００８７】
経路制御部１６は、ＩＰ電話呼制御部１２に対して、ＩＰ網での呼設定開始を指示する。指示を受けたＩＰ電話呼制御部１２は、電話帳情報に登録されていたＩＰ電話番号に基づいて、ＩＰ網に接続し、呼設定を行う。呼設定後は、従来のＩＰ電話通信のシーケンスを経て相手側電話装置と通話を行う。
【００８８】
このように、予めＩＰ電話番号を登録した電話帳情報を電話帳記憶部１９に記憶しておくことで、登録されたＩＰ電話番号に対応付けられた一般電話番号がユーザによって入力された場合であっても、相手側電話装置のＩＰ電話番号を取得する必要がなく、発信処理を短時間で行うことができる。
【００８９】
電話発信処理中に、切断メッセージに記述されたＩＰ電話番号を電話帳情報に登録する処理について説明する。
【００９０】
ディジタル電話呼制御部１１が、ＩＰ電話番号を含む切断メッセージを受信して、経路制御部１６に通知するまでの処理については前述の番号取得発信処理と同様である。
【００９１】
通知を受けた経路制御部１６は、ディジタル電話呼制御部１１に回線を解放するよう指示するとともに、電話帳処理部１５に対して、受信した切断メッセージに含まれるＩＰ電話番号を通知して電話帳情報への登録を指示する。指示を受けた電話帳処理部１５は、通知されたＩＰ電話番号を、呼設定メッセージを送信した相手側電話装置の一般電話番号に対応付けて登録する。ＩＰ電話番号の登録後の処理については、前述の番号取得発信処理と同様である。
【００９２】
さらに、一般電話番号およびＩＰ電話番号が電話帳情報に登録されている場合に、ディジタル回線交換網を経由する通信経路とＩＰ網を経由する通信経路のいずれの通信経路で相手側電話装置との電話通信を行うかをユーザが選択できるように経路選択機能を設けてもよい。なお、ＩＰ電話番号の登録については、予めユーザが入力部１８を操作して入力した場合でもよいし、切断メッセージ受信時に登録した場合でもよい。
【００９３】
前述の番号取得発信処理および登録番号発信処理のいずれの場合であっても、経路制御部１６がディジタル電話呼制御部１１に対してＩＰ電話番号に基づいて呼設定開始を指示する前に、ユーザに対して通信経路が選択可能であることを報知する。たとえば、経路制御部１６が表示制御部１３に対して次のような文字情報を表示部１７に表示するように指示する。文字情報としては、「ＩＰ網を使用して発信する場合には数字の１のキーを、ディジタル回線交換網を使用して発信する場合には数字の０のキーを押して下さい。（１０秒以内にいずれのキーも押されない場合にはディジタル回線交換網を使用して発信します。）」などである。このとき、たとえばユーザが入力部１８を操作して数字キーの１を入力すると、コマンド処理部１４がこれを経路制御部１６に通知し、経路制御部１６は、ＩＰ電話制御部１２に対してＩＰ電話番号に基づく呼設定の開始を指示する。また、ユーザが入力部１８を操作して数字キーの０を入力すると、コマンド処理部１４がこれを経路制御部１６に通知し、経路制御部１６は、ディジタル電話呼制御部１１に対して一般電話番号に基づく呼設定の開始を指示する。
【００９４】
ＩＰ網を経由するＩＰ電話通信は、他の電話装置やパーソナルコンピュータなどが利用する配線と同じ回線を用いて通信を行うため、ディジタル回線交換網を経由するディジタル電話通信に比べて、通信中の音声データを盗聴される可能性が高い。また、通話品質についても、ＩＰ網を経由するＩＰ電話通信は、音声途切れなどが発生してしまうため、ディジタル回線交換網を経由するディジタル電話通信に比べて低い。上記のようにユーザが通信経路を選択できることにより、通話相手や通話内容に応じて、最適な通信経路を使い分けることができる。
【００９５】
ここで、図４で示した電話帳情報の優先度について説明する。ユーザが通信経路を選択可能である場合に、ユーザが選択した通信経路を優先度として登録する。たとえば、Ｂ氏に対して電話発信した場合に、ユーザがＩＰ網を経由する通信経路を選択したときは、優先度として「ＩＰ電話」を登録する。優先度は、一般電話番号およびＩＰ電話番号が電話帳情報に登録されている場合に、経路制御部１６によって参照され、優先度に登録されている通信経路を用いて電話発信を行う。
【００９６】
このように登録された優先度に従って通信経路を決定して電話発信を行うので、適した通信経路を使い分けする際にユーザが通信経路を選択して入力操作を行う必要がなくなる。
【００９７】
図５は、ＩＰ電話装置１の電話発信処理を示すフローチャートである。
ユーザが送受話器２０を操作するなどしてオフフックし、入力部１８を操作して相手側電話装置の一般電話番号を入力すると、コマンド処理部１４が入力された一般電話番号を経路制御部１６に通知して電話発信処理が開始される。
【００９８】
まずステップＳ１では、経路制御部１６が、電話帳処理部１５に対して一般電話番号を通知し、通知した一般電話番号に対応付けられたＩＰ電話番号の照合を指示する。ステップＳ２では、指示を受けた電話帳処理部１５が、電話帳記憶部１９に記憶されている電話帳情報を参照し、通知された一般電話番号に対応付けられたＩＰ電話番号が登録されているか否かを判断する。
【００９９】
登録されていればステップＳ７に進み、登録されていなければステップＳ３に進む。ステップＳ３では、ディジタル電話呼制御部１１が、相手側電話装置の一般電話番号に基づいて、ディジタル回線交換網に接続し、ＩＰ電話番号要求を含む呼設定メッセージを相手側電話装置に送信する。
【０１００】
ステップＳ４では、経路制御部１６が、ＩＰ電話番号を含む切断メッセージをディジタル電話呼制御部１１が相手側電話装置から受信したか否かを判断する。受信していればステップＳ５に進み、受信していなければステップＳ１０に進む。ＩＰ電話番号を取得できなかったので、ステップＳ１０では、ディジタル回線交換網に対する呼設定を継続し、通話状態に移行する。
【０１０１】
ステップＳ５では、経路制御部１６が受信した切断メッセージに含まれる相手側電話装置のＩＰ電話番号を電話帳処理部１５に通知し、電話帳処理部１５が電話帳記憶部１９に記憶されている電話帳情報にＩＰ電話番号を登録して更新する。ステップＳ６では、ディジタル電話呼制御部１１が、ディジタル回線交換網に対して解放メッセージを送信し、回線を解放する。
【０１０２】
ステップＳ７では、経路制御部１６が、ユーザが通信経路としてＩＰ網を経由して電話発信する通信経路を選択したか否かを判断する。
【０１０３】
選択していればステップＳ８に進み、ＩＰ電話呼制御部１２が、相手側電話装置から受信したＩＰ電話番号に基づいて、ＩＰ網に接続し、呼設定を行う。呼設定後は、従来のＩＰ電話通信のシーケンスを経て相手側電話装置と通話を行う。選択していなければ、ステップＳ９に進み、ディジタル電話呼制御部１１が、再度、ユーザによって入力された一般電話番号に基づいて、ディジタル回線交換網に接続し、呼設定を行う。呼設定後は、従来のディジタル電話通信のシーケンスを経て相手側電話装置と通話を行う。
【０１０４】
以下では、種々の条件下における電話発信処理の実施例について説明する。なお、電話発信処理に用いるメッセージの構成および電話帳情報は図３および図４で説明した構成および電話帳情報を使用する。
【０１０５】
（実施例１）
条件：一般電話番号に対応するＩＰ電話番号が電話帳情報に登録されているＡ氏に対して電話発信を行う。
【０１０６】
ユーザが送受話器２０をオフフックし、入力部１８を操作してＡ氏の一般電話番号「０３−ＸＸＸ−１１１１」を入力する。
【０１０７】
経路制御部１６は、一般電話番号「０３−ＸＸＸ−１１１１」に対応するＩＰ電話番号の照合を電話帳処理部１５に指示する。
【０１０８】
電話帳処理部１５は、電話帳記憶部１９に記憶されている電話帳情報を参照し、Ａ氏の一般電話番号「０３−ＸＸＸ−１１１１」に対応するＩＰ電話番号「ＹＹＹ−ＺＺＺ−２２２−３３３」を経路制御部１６に通知する。
【０１０９】
表示制御部１３は、表示部１７に対して、ユーザに通信経路を選択するように促す文字情報を表示させる。
【０１１０】
ユーザが、表示された文字情報を見てＩＰ網経由の通信経路を選択すると、経路制御部１６は、ＩＰ電話呼制御部１２にＩＰ電話番号「ＹＹＹ−ＺＺＺ−２２２−３３３」を通知し、ＩＰ網への呼設定開始を指示する。また、電話帳処理部１５は、Ａ氏の一般電話番号「０３−ＸＸＸ−１１１１」およびＩＰ電話番号「ＹＹＹ−ＺＺＺ−２２２−３３３」と対応付けて優先度「ＩＰ電話」を登録する。
【０１１１】
呼設定後は、従来のＩＰ電話通信のシーケンスを経て相手側電話装置と通話を行う。
【０１１２】
（実施例２）
条件：一般電話番号に対応するＩＰ電話番号が電話帳情報に登録されていないＢ氏に対して電話発信を行う。
【０１１３】
ユーザが送受話器２０をオフフックし、入力部１８を操作してＢ氏の一般電話番号「０７０−ＸＸＸ−２２２２」を入力する。
【０１１４】
経路制御部１６は、一般電話番号「０７０−ＸＸＸ−２２２２」に対応するＩＰ電話番号の照合を電話帳処理部１５に指示する。
【０１１５】
電話帳処理部１５は、電話帳記憶部１９に記憶されている電話帳情報を参照し、Ｂ氏の一般電話番号「０７０−ＸＸＸ−２２２２」に対応するＩＰ電話番号が登録されていないことを経路制御部１６に通知する。
【０１１６】
ディジタル電話呼制御部１１は、相手側電話装置の一般電話番号「０７０−ＸＸＸ−２２２２」に基づいて、ディジタル回線交換網に接続し、ＩＰ電話番号要求を含む呼設定メッセージを相手側電話装置に送信する。
【０１１７】
ディジタル電話呼制御部１１は、ＩＰ電話番号「ＹＹＹ−ＺＺＺ−４４４−５５５」を含む切断メッセージを相手側電話装置から受信する。
【０１１８】
経路制御部１６は、ＩＰ電話番号「ＹＹＹ−ＺＺＺ−４４４−５５５」を電話帳処理部１５に通知し、電話帳情報の更新を指示する。
【０１１９】
電話帳処理部１５は、電話帳情報のＢ氏の一般電話番号「０７０−ＸＸＸ−２２２２」に、ＩＰ電話番号「ＹＹＹ−ＺＺＺ−４４４−５５５」を対応付けて登録する。
【０１２０】
表示制御部１３は、表示部１７に対して、ユーザに通信経路を選択するように促す文字情報を表示させる。
【０１２１】
ユーザが、表示された文字情報を見てＩＰ網経由の通信経路を選択すると、経路制御部１６は、ＩＰ電話呼制御部１２にＩＰ電話番号「ＹＹＹ−ＺＺＺ−４４４−５５５」を通知し、ＩＰ網への呼設定開始を指示する。また、電話帳処理部１５は、Ｂ氏の一般電話番号「０７０−ＸＸＸ−２２２２」およびＩＰ電話番号「ＹＹＹ−ＺＺＺ−４４４−５５５」と対応付けて優先度「ＩＰ電話」を登録する。
【０１２２】
呼設定後は、従来のＩＰ電話通信のシーケンスを経て相手側電話装置と通話を行う。
【０１２３】
（実施例３）
条件：一般電話番号に対応するＩＰ電話番号が電話帳情報に登録され、かつ優先度が登録されているＣ氏に対して電話発信を行う。
【０１２４】
ユーザが送受話器２０をオフフックし、入力部１８を操作してＣ氏の一般電話番号「０９０−ＸＸＸ−１１１１」を入力する。
【０１２５】
経路制御部１６は、一般電話番号「０９０−ＸＸＸ−１１１１」に対応するＩＰ電話番号の照合を電話帳処理部１５に指示する。
【０１２６】
電話帳処理部１５は、電話帳記憶部１９に記憶されている電話帳情報を参照し、Ｃ氏の一般電話番号「０９０−ＸＸＸ−１１１１」に対応するＩＰ電話番号「ＹＹＹ−ＺＺＺ−６６６−７７７」を経路制御部１６に通知するとともに、優先度「一般電話」を通知する。
【０１２７】
経路制御部１６は、優先度「一般電話」に基づいて、ディジタル電話呼制御部１１に一般電話番号「０９０−ＸＸＸ−１１１１」を通知し、ディジタル回線交換網への呼設定開始を指示する。
【０１２８】
呼設定後は、従来のディジタル電話通信のシーケンスを経て相手側電話装置と通話を行う。
【０１２９】
なお、本実施形態では、ＩＰ電話番号要求にユーザ・ユーザ情報要素を用いたが、ユーザ・ユーザ情報要素の代わりに着サブアドレス情報要素を用いてもよい。着サブアドレス情報要素を用いる場合、情報要素フィールドの情報要素識別子には、着サブアドレス情報要素であることを示す「０１１１０００１」を記述し、情報要素内容には、相手側（メッセージ受信側）電話装置のＩＰ電話番号の送信要求を示すＩＰ電話番号取得機能特番と自己のＩＰ電話番号を記述する。たとえば、ＩＰ電話番号取得機能特番として「＊８＃」、自己のＩＰ電話番号として「０３０−ＸＸＸ−６６６−５５５」を記述する。このように情報要素フィールドを記述して呼設定メッセージを相手側電話装置に送信する。
【０１３０】
また、上記のように着サブアドレス情報要素として発信側電話装置のＩＰ電話番号を含む呼設定メッセージを受信した場合、相手側電話装置が、コールバックを行うようにしてもよい。図６は、コールバックを行う場合のシーケンス図である。
【０１３１】
ステップＢ１で、発信側電話装置が、着サブアドレス情報要素にＩＰ電話番号取得機能特番およびＩＰ電話番号を記述して呼設定メッセージを送信する。
【０１３２】
ステップＢ２で、相手側電話装置が、呼設定メッセージを受けて、発信側電話装置に呼出メッセージを送信し、コールバック受け入れ可能の旨を通知する。
【０１３３】
ステップＢ３で、発信側電話装置が、呼出メッセージを受けて、ディジタル回線交換網の回線を解放し、コールバック待ち状態に移る。
【０１３４】
ステップＢ４で、相手側電話装置が、回線の開放を確認して、ステップＳ１２で受信した呼設定メッセージに記述された発信側電話装置のＩＰ電話番号に基づいて、ＩＰ網への呼設定を開始する。呼設定後は、従来のＩＰ電話通信のシーケンスを経て相手側電話装置と通話を行う。従来のシーケンスは、図２に示したシーケンスにおける各信号の送信元が発信側電話装置と相手側電話装置とで入れ替わっている。
【０１３５】
このように、ＩＰ電話装置１が相手側電話装置に発信することなく、着信側電話装置からコールバックされるので、ＩＰ電話通信を開始するまでのタイムラグをさらに短縮することができる。
【０１３６】
【発明の効果】
以上のように本発明によれば、通話状態に移行するまでの設定手順を利用して、着信側電話装置のインターネットプロトコル電話通信用の電話番号を取得するので、従来は通話状態で取得するために必要であった、インターネットプロトコル電話通信用の電話番号の取得に伴うディジタル電話通信通話料金が発生しない。したがって、インターネットプロトコル電話通信にかかる費用を削減することができる。また、通話状態に移行するまでの設定状態を利用して電話番号を取得する場合、通話状態で電話番号を取得する場合に比べて、短時間でインターネットプロトコル電話通信用の電話番号を取得することができる。したがって、インターネットプロトコル電話通信による通話が開始されるまでのタイムラグを短縮することができる。
【０１３７】
また本発明によれば、ディジタル電話通信用の電話番号に対応するインターネットプロトコル電話通信用の電話番号が記憶手段に記憶されていれば、着信側電話装置のインターネットプロトコル電話通信用の電話番号を取得することなく、着信側電話装置とインターネットプロトコル電話通信を行うことができるので、インターネットプロトコル電話通信を開始するまでのタイムラグをさらに短縮することができる。
【０１３８】
また本発明によれば、ディジタル電話通信用の電話番号に対応するインターネットプロトコル電話通信用の電話番号が自動で記憶されるので、次にインターネットプロトコル電話通信を行う際には、電話通信を開始するまでのタイムラグをさらに短縮することができる。
【０１３９】
また本発明によれば、ユーザは、いずれの電話番号を用いて電話通信を行うかを選択できるので、通話相手や通話内容に応じて電話通信を使い分けることができる。
【０１４０】
また本発明によれば、予め優先度を設定しておくことで、容易に電話通信を使い分けすることができる。
【０１４１】
また本発明によれば、次に電話通信を行うときには、以前の選択結果が反映されるので、ユーザは、電話通信を行うごとに選択しなくてもよい。
【０１４２】
また本発明によれば、呼設定メッセージのユーザ・ユーザ情報要素を用いるので、電話番号を取得するための手順を増やすことなく、既存の設定手順中でインターネットプロトコル電話通信用の電話番号を取得することができる。
【０１４３】
また本発明によれば、着信側電話装置のインターネットプロトコル電話通信用の電話番号を取得し、速やかに回線を開放することができるので、より少ない手順で短時間に電話番号の取得を行うことができる。
【０１４４】
また本発明によれば、呼設定メッセージの着サブアドレス情報要素を用いるので、電話番号を取得するための手順を増やすことなく、既存の設定手順中でインターネットプロトコル電話通信用の電話番号を取得することができる。
【０１４５】
また本発明によれば、発信側電話装置が着信側電話装置に発信することなく、着信側電話装置からコールバックされるので、インターネットプロトコル電話通信を開始するまでのタイムラグをさらに短縮することができる。
【図面の簡単な説明】
【図１】本発明の実施の一形態であるＩＰ（Ｉｎｔｅｒｎｅｔ　Ｐｒｏｔｏｃｏｌ）電話装置１の構成を示すブロック図である。
【図２】番号取得電話発信処理のシーケンス図である。
【図３】メッセージ１００の構成を示す図である。
【図４】電話帳情報の登録内容の一例を示す図である。
【図５】ＩＰ電話装置１の電話発信処理を示すフローチャートである。
【図６】コールバックを行う場合のシーケンス図である。
【符号の説明】
１　ＩＰ電話装置
１１　ディジタル電話呼制御部
１２　ＩＰ電話呼制御部
１３　表示制御部
１４　コマンド処理部
１５　電話帳処理部
１６　経路制御部
１７　表示部
１８　入力部
１９　電話帳記憶部
２０　送受話器
【図１】
2004129157.tif 000003
【図２】
2004129157.tif 000004
【図３】
2004129157.tif 000005
【図４】
2004129157.tif 000006
【図５】
2004129157.tif 000007
【図６】
2004129157.tif 000008